(57)【要約】      （修正有）【課題】部品点数を増やすことなく、着火性を良好に保ちながらも、ライターの使用に伴うガス噴射口周辺部の熱化による火傷等を防止することが出来る圧電式ガスライターを提供する。【解決手段】燃料ガスを貯蔵するガスタンクと、このガスタンクの内外に連通したガス噴出ノズルと、このガス噴出ノズルを開閉操作するガス噴出操作レバーを含むバルブ機構と、ガス噴出操作レバーを操作する着火操作手段と、この着火操作手段の操作に連動してスパークを放つ圧電装置とを備えた圧電式ガスライターにおいて、ガスライター本体を相対的に上下動する上部本体と下部本体とに分け、上部本体は着火操作手段をなし且つ下部本体には燃料ガスの燃焼に必要な酸素を外部から導入するための空気取り入れ口を配設し、上部本体を下動するとき、空気取り入れ口を開放すると共に、圧電装置を作動させて点火して炎を作出するように構成する。【選択図】図３
0003134236.tif 000002
【実用新案登録請求の範囲】
【請求項１】
燃料ガスを貯蔵するガスタンクと、このガスタンクの内外に連通したガス噴出ノズルと、このガス噴出ノズルを開閉するバルブと、このバルブの開閉を操作するためのガス噴出操作レバーと、このガス噴出操作レバーを操作する着火操作手段と、この着火操作手段の操作に連動してスパークを放つ圧電装置とを備えた圧電式ガスライタにおいて、ガスライタ本体を上部本体と下部本体とに分け、該上部本体を該下部本体に対して上下動自在に取り付け、該上部本体は着火操作手段をなし且つ該下部本体には燃料ガスの燃焼に必要な酸素を外部から導入するための空気取り入れ口を配設し、該上部本体を下動するとき、該空気取り入れ口を露出させて開放すると共に、上記圧電装置を作動させ、上記ガス噴出ノズルから噴出した燃料ガスに対してスパークを放って点火して炎を作出するように構成することを特徴とする圧電式ガスライタ。
【請求項２】
燃料ガスを貯蔵するガスタンクと、このガスタンクの内外に連通したガス噴出ノズルと、このガス噴出ノズルを開閉するバルブと、このバルブの開閉を操作するためのガス噴出操作レバーと、このガス噴出操作レバーを操作する着火操作手段と、この着火操作手段の操作に連動してスパークを放つ圧電装置とを備えた圧電式ガスライタにおいて、ガスライタ本体を上部本体と下部本体とに分け、該上部本体を該下部本体に対して上下動自在に取り付け、該上部本体は着火操作手段をなし且つ該下部本体には燃料ガスの燃焼に必要な酸素を外部から導入するための空気取り入れ口を配設し、該上部本体を下動するとき、該空気取り入れ口を露出させて開放すると共に、上記圧電装置を作動させ、上記ガス噴出ノズルから噴出した燃料ガスに対してスパークを放って点火して炎を作出するように構成すると共に、上記上部本体は、上記下部本体の略上半部を覆い得る略筒状のカバー状をなし、該上部本体の所定の互いに対向する側壁上の一対の部位には、該上部本体の下動ストローク相当長さの縦穴状のガイドスリットを形成し、他方、下部本体には、該下部本体の略上半分に上部本体を覆い被せて該上部本体を配設した際に、上記ガイドスリットの下端部相当位置に、該下部本体の表裏に貫通した軸孔を形成して、該ガイドスリットと該軸孔との両者に対して一本の軸棒を挿通し、該上部本体を該下部本体に対して所定のストロークで上下動可能にすると共に、該上部本体の抜脱を防止するように構成することを特徴とする圧電式ガスライタ。
【考案の詳細な説明】
【技術分野】
【０００１】
本考案は、圧電装置によって燃料ガスに着火する圧電式ガスライタに関し、特に、ライタ本体を上部と下部とから構成して、使用時において本体の上部を下部に対して押し下げることで、通気口を外部に開放して燃料ガスを燃焼させる構成の圧電式ガスライタに関するものである。
【背景技術】
【０００２】
従来、燃料ガスが貯蔵されたガスタンクと、このガスタンクの内外に連通したガス噴出ノズルと、このガス噴出ノズルを開閉するバルブ機構と、該ガス噴出ノズルを通じて噴出させた燃料ガスに放電させて着火するための圧電装置と、バルブの開放操作を行なうと共に圧電素子を作動させる着火操作ボタンを備えた圧電式ガスライタが広く普及している。
【０００３】
このような構成の圧電式ガスライタは、着火操作ボタンを押し込むこと、これに連動してガス噴出操作レバーが作動してバルブが開放され、ガス噴出ノズル上端のガス噴出口からガスタンク内に収容されていた燃料ガスが噴出すると共に、噴出した燃料ガスに対して圧電装置の圧電素子からスパークが放たれ、これによって燃料ガスが点火されて予め設定された強さの火炎を得ることが出来るようになっている。
【０００４】
勿論、燃料ガスの適正な燃焼には、適正な量の酸素が必要であり、ガスライタはその酸素供給を適正に行なうことが出来るように構成されている必要がある。この点に関し、従来のガスライタの多くは、金属板を略Ｕ字形に折り曲げて側部カバー部を形成しつつ、その上部を内側に折り曲げてその中央が開口した天面カバー部を形成すると共に、前記側部カバー部に内外に連通した通気口を貫穿してなるガスカバーが、ガス噴出口を囲繞するようにガスライタ本体の上部に配設され、噴出させた燃料ガスの拡散を抑制し、また風等による不着火を防止して着火させ易いように構成されている。このようなガスカバーを備えたガスライタとしては、例えば特許文献１を上げることができる。
【０００５】
しかしながら、このような金属製のガスカバーを備えたガスライタを使用した場合、噴出口の上部に点火された火炎によって、該ガスカバーが熱せられ非常に熱くなり、火傷する畏れがある上、衣類等のプラスチック製品等に接触した際にはそれを融かして破損してしまうという問題があった。
【０００６】
他方、ガスライタ本体の上部に、ヒンジ状に開閉自在に蓋体を枢着して構成されたガスライタが知られている。このような構成におけるガスライタの蓋体は、特許文献２に開示されているように、着火操作ボタン及びガス噴出口やその周辺全体を覆うことが出来るように構成され、点火する際には該蓋体を開き、該ガスライタの不使用時においては該蓋体を閉じて置くことが出来るようになっている。
【０００７】
このため、ガスライタの使用後には、蓋体を閉めておけば、ガスライタの点火によって加熱されたガス噴出口周辺部は外部に露出していない状態になるため、火傷等を防止することが出来る。しかし、この構成のガスライタには蓋体が必要であり、部品点数の増加や取り付け工程の必要性があり、高コスト化してしまう上、蓋体の開閉操作が煩わしく、点火には蓋体の開放操作に次いで、ガス点火ボタンの押し込み操作が必要で、二段階の操作が必要となるという問題がある。
【特許文献１】特許第３６６９２９５号公報
【特許文献２】特開２００７−７８３２０号公報
【考案の開示】
【考案が解決しようとする課題】
【０００８】
本考案は、上記問題点に鑑みてなされたものであり、部品点数を増やすことなく、着火性を良好に保ちながらも、ライタの使用に伴うガス噴射口周辺部の熱化による火傷等を防止することが出来る圧電式ガスライタを提供せんとするものである。
【課題を解決するための手段】
【０００９】
上記課題を解決するために本考案の圧電式ガスライタが採った手段は、燃料ガスを貯蔵するガスタンクと、このガスタンクの内外に連通したガス噴出ノズルと、このガス噴出ノズルを開閉するバルブと、このバルブの開閉を操作するためのガス噴出操作レバーと、このガス噴出操作レバーを操作する着火操作手段と、この着火操作手段の操作に連動してスパークを放つ圧電装置とを備えた圧電式ガスライタにおいて、ガスライタ本体を上部本体と下部本体とに分け、該上部本体を該下部本体に対して上下動自在に取り付け、該上部本体は着火操作手段としての機能を有し且つ該下部本体には燃料ガスの燃焼に必要な酸素を外部から導入するための空気取り入れ口を配設し、該上部を下動するとき、該空気取り入れ口を露出させて開放すると共に、上記圧電装置を作動させ、上記ガス噴出ノズルから噴出した燃料ガスに対してスパークを放って点火して炎を作出するように構成することを特徴としている。
【００１０】
また、本考案の圧電式ガスライタが採った手段は、燃料ガスを貯蔵するガスタンクと、このガスタンクの内外に連通したガス噴出ノズルと、このガス噴出ノズルを開閉するバルブと、このバルブの開閉を操作するためのガス噴出操作レバーと、このガス噴出操作レバーを操作する着火操作手段と、この着火操作手段の操作に連動してスパークを放つ圧電装置とを備えた圧電式ガスライタにおいて、ガスライタ本体を上部本体と下部本体とに分け、該上部本体を該下部本体に対して上下動自在に取り付け、該上部本体は着火操作手段をなし且つ該下部本体には燃料ガスの燃焼に必要な酸素を外部から導入するための空気取り入れ口を配設し、該上部本体を下動するとき、該空気取り入れ口を露出させて開放すると共に、上記圧電装置を作動させ、上記ガス噴出ノズルから噴出した燃料ガスに対してスパークを放って点火して炎を作出するように構成すると共に、上記上部本体は、上記下部本体の略上半部を覆い得る略筒状のカバー状をなし、該上部本体の所定の互いに対向する側壁上の一対の部位には、該上部本体の下動ストローク相当長さの縦穴状のガイドスリットを形成し、他方、下部本体には、該下部本体の略上半分に上部本体を覆い被せて該上部本体を配設した際に、上記ガイドスリットの下端部相当位置に、該下部本体の表裏に貫通した軸孔を形成して、該ガイドスリットと該軸孔との両者に対して一本の軸棒を挿通し、該上部本体を該下部本体に対して所定のストロークで上下動可能にすると共に、該上部本体の抜脱を防止するように構成することを特徴としている。
【考案の効果】
【００１１】
本考案の圧電式ガスライタは、ガスライタ本体を相対的に上下動する上部本体と下部本体とに分け、上部本体は該下部本体の略半上部を覆い得るように略筒形のカバー状に形成し、点火操作手段としての役割を担い、下部本体は、ガスタンクと、ガス噴出ノズルと、ガス噴出操作レバーと、圧電装置とを有してなり、前記上部本体を下部本体に対して下動することによって、不使用状態においては上部本体の上部内に隠れていた空気取り入れ口を使用時の下動に伴って外部に露出させて開放して、外部の空気をガス噴出ノズルのガス噴出口周辺に供給して点火し得るように構成したことによって、殆ど部品点数を増加させることなく良好な着火性を得ることが出来、使用後には、使用に伴って熱化した点火部周辺部が上部本体に覆い隠されることによって火傷等することを防止することが出来る。
【００１２】
また、本考案においては、上記構成にしたことによって、従来にない斬新なデザインのガスライタを得ることが出来る上、使用に際しては、上部本体を押し下げた指が、点火下炎の高さ位置から一段降下した高さ位置に移動するため、その指が熱くならずに該上部本体を押し続けることが出来るという効果がある。
【考案を実施するための最良の形態】
【００１３】
以下、本考案の好ましい実施の形態を添付図面を参照しながら詳細に説明する。図１は本実施態様の圧電式ガスライタ(１)の外観の斜視図である。この圧電式ガスライタ(１)は、図１及び図２に示すとおり、ライタ本体が、相対的に上下動可能に構成された上部本体(２)と下部本体(３)との二つの部分からなる。勿論、この圧電式ガスライタ(１)は、上部本体(２)を下部本体(３)に対して下動させることによって点火されて炎(Ｆ)を作出することが出来るように構成される。
【００１４】
圧電式ガスライタ(１)は、図３に示すように、断面略長円形の筒形のカバー状をなし、下部本体(３)の略上半部を覆うように装着される上部本体(２)と、該上部本体(２)によってその略上半部が覆われる、燃料ガスを貯蔵するガスタンク(４)と、このガスタンク(４)の内外に連通したガス噴出ノズル(５)と、このガス噴出ノズル(５)の開閉操作を行なうためのガス噴出操作レバー(6a)を有するバルブ機構(６)と、該ガス噴出ノズル(５)の上端から噴出したガスにスパークを放って着火するための圧電装置(７)と、これらの一連の部分を収納する保持ケース(８)と、下部本体(３)の略上半部に装着された上部本体(２)の抜けを防止する軸棒(９)と、該保持ケース(８)の略下半部を下方から覆うように装着される下部外装ケース(10)とから構成される下部本体(３)とから構成される。
【００１５】
上部本体(２)は、断面略長円形の筒形のカバー状をなし、その底部は開口している。上部本体(２)の天面部には天板(2a)が形成され、この天板(2a)の所定の部位には、該天板(2a)の表裏に亘って貫穿される略長円形の着火孔(2b)が形成される。上部本体(２)の平面状をなす一対の側面のほぼ中央部位には、それぞれ縦穴状のガイドスリット(2c)が形成される。尚、上部本体(２)の側面の適当な部位には、軽量化、省原料化のための切欠部(2d)(2e)(2f)を形成しても良い。また、上部本体(２)の略上半部には、装飾カバー体(11)が配設され、意匠性の向上を図っている。
【００１６】
装飾カバー体(11)は、上部本体(２)をほぼ相似形に覆う形状を有し、その略平面状の一対の側面部分は逆Ｖ字形に形成されているが、勿論その形状は限定されるものではなく、上部本体(２)を下部本体(３)に対して下動可能で一定量以上の下動ストロークが取れるものであればよい。
【００１７】
ガスタンク(４)は、燃料ガスを貯蔵し得るように構成され、保持ケース(８)内の所定位置に収容される。ガスタンク(４)の上部には、ガス噴出ノズル(５)の一端が配設され、それらの内部同士が連通するように構成される。
【００１８】
ガス噴出ノズル(５)は、上下方向に延びた金属製の略パイプ状をなし、その下端がガスタンク(４)に連通して配設され、上端にはガス噴出口(5a)を有し、その基端部には、燃料ガスの噴出を制御するためのバルブ(図示せず)を含むバルブ機構(６)を有する。
【００１９】
バルブ機構(６)は、ガス噴出ノズル(５)の基端部において、燃料ガスの噴出を制御するためのバルブと、このバルブの開閉を操作するためのガス噴出操作レバー(6a)とを有する。このガス噴出操作レバー(6a)は、ガス噴出ノズル(５)の基端部から圧電装置(７)の押込スイッチ(7a)の上端部にかけて傾斜して延び上がったレバー部(6b)を有し、上部本体(２)の下動に連動して押し下げられて、バルブを開放してガスタンク(４)中に貯蔵されている燃料ガスを、ガス噴出ノズル(５)上端のガス噴出口(5a)から噴出することが出来るように構成される。
【００２０】
圧電装置(７)は、従来公知の技術を用いることが出来、その内部に圧電素子(図示せず)と、これを打ち付けるハンマ(図示せず)と、該ハンマを付勢するコイルスプリング(図示せず)と、これらを収納するケーシング(7b)と、前記ハンマを前記圧電素子に打ち付けてピエゾ電流を生じさせるための押込スイッチ(7a)と、該ハンマによる該圧電素子の打撃によって生じたピエゾ電流を、ガス噴出ノズル(５)上端のガス噴出口(5a)付近まで導くためのリード(7c)とを有する。
【００２１】
ガス噴出ノズル(５)上端のガス噴出口(5a)の上方位置周辺には、着火性を向上させるための着火カバー体(12)が、該ガス噴出口(5a)の上方位置を囲繞するように配設される。この着火カバー体(12)は、その平面形状が、上部本体(２)の天板(2a)の所定部位に形成される略長円形の着火孔(2b)と略相似形で若干小さめの略長円形をなし、その天面部には該略長円形状の天板(12a)を有し、ガス噴出口(5a)の直上部位には該天板(12a)の表裏に亘って貫穿される円形の着火穴(12b)を有する。着火カバー体(12)の側面には、外部から空気を導入するための空気取り入れ口(12c)が形成される。
【００２２】
保持ケース(８)は、略長円筒状をなす上部本体(２)が摺動自在に上下動し得るように、それとほぼ相似形で若干小さめの略長円筒状をなす横断面を有する。略円弧状をなす一側面部にはガスタンク(４)内の燃料ガスの残量を視認し得るように窓状に切り欠かれた窓部(8a)を有する。保持ケース(８)の略平面状をなす一対の側面部の中央上部には、軸棒(９)を挿通するための軸孔(8b)が穿孔される。勿論、下部本体(３)の組立状態においても、保持ケース(８)に穿孔された軸孔(8b)には、保持ケース(８)のみならず下部本体(３)全体を通して軸棒(９)を挿通し得るように構成される。
【００２３】
下部外装ケース(10)は、図４及び図５に示すように、保持ケース(８)を内部に収納しつつ、上部本体(２)の略下半部をその下方から覆うように構成され、略長円筒状をなす上部本体(２)の略下半部とほぼ相似形で若干それよりも大きめの略長円筒状をなす有底の装飾用の部材である。ガスタンク(４)位置に対応した下部外装ケース(10)の底部の所定の部位には、ガスタンク(４)内に燃料ガスを充填するための充填孔(10a)が形成される。
【００２４】
以上の説明のように構成される本実施態様の圧電式ガスライタ(１)を組み立てる際には、先ず、保持ケース(８)の内部の所定の部位に、各部品を収納して配設し下部本体(３)を組み立てる。次いで、下部本体(３)の着火カバー体(12)の位置と、上部本体(２)の着火孔(2b)との位置を合わせつつ、上部本体(２)を下部本体(３)の略上半部に被せ、若干押し込んだ状態にする。この状態で、上部本体(２)のガイドスリット(2c)と、下部本体(３)の軸孔(8b)とを位置合わせしつつ、それらの穴に軸棒(９)を挿通する。このとき、軸棒(９)は、図５に示すように、上部本体(２)の対向する略平面部の側面の外端面間の厚さに相当する長さを有し、丁度、軸棒(９)の端面とガイドスリット(2c)部分の板面とが同レベルになるように構成される。この状態で、保持ケース(８)をその下方から下部外装ケース(10)内に装着して本実施態様の圧電式ガスライタ(１)の完成品を得る。
【００２５】
上記説明のように組み立てられた本実施態様の圧電式ガスライタを使用する場合には、上部本体(２)の天板(2a)を下部本体(３)に対して押し込んで下動する。これによって、ガス噴出操作レバー(6a)のレバー部(6b)の上端が下動してバルブが開放される。そして、ガスタンク(４)内に貯蔵されていた燃料ガスが、ガス噴出ノズル(５)を通じてその上端のガス噴出口(5a)から噴出すると共に、上部本体(２)の下動に伴って圧電装置(７)の押込スイッチ(7a)が押し込まれる。これに連動して圧電装置(７)内においてハンマが圧電素子を打撃し、それによって生じたピエゾ電流がリード(7c)を導通してガス噴出口(5a)付近で放電する。即ち本実施態様の圧電式ガスライタ(１)は、この放電によってガス噴出口(5a)から噴出した燃料ガスに点火して、該燃料ガスを燃焼させるように構成される。
【００２６】
この際、上部本体(２)の下動に伴い、該上部本体(２)の天板(2a)に形成されている着火孔から着火カバー体(12)やガス噴出口(5a)が外部に露出して、該着火カバー体(12)に形成されている空気取り入れ口(12c)が外部に開放され、燃料ガスの燃焼に必要な酸素を導入することが出来るようになっている。また、燃料ガスの燃焼時には、炎(Ｆ)の高さ位置に対して、上部本体(２)を押し込み続けている指の高さ位置が一段下がった状態となるため、その指が熱くなることを防止することが出来るようになっている。
【００２７】
使用後には、上部本体(２)を押し込んでいた押圧力を開放すれば、圧電装置(７)に内蔵されたコイルスプリングの弾性力によって、上部本体(２)が元の高さ位置に上動し、着火カバー体(12)の側部等を覆い隠すように構成される。従って、圧電式ガスライタ(１)の使用に伴って熱化された着火カバー体(12)周辺が上部本体(２)によって覆われるので、その熱化した着火カバー体(12)に直接触れてしまうことによる火傷等を抑制することが出来る。
【図面の簡単な説明】
【００２８】
【図１】本実施態様の圧電式ガスライタの外観の斜視図
【図２】同圧電式ガスライタの使用状態を示す斜視図
【図３】同圧電式ガスライタの分解斜視図
【図４】同圧電式ガスライタの組立状態の構成を示す一断面図
【図５】同圧電式ガスライタの組立状態における軸棒の組み付け構成を示す断面図
【符号の説明】
【００２９】
１  圧電式ガスライタ
２  上部本体
2a  天板
2b  着火孔
2c  ガイドスリット
2d  切欠部
2e  切欠部
2f  切欠部
３  下部本体
４  ガスタンク
５  ガス噴出ノズル
5a  ガス噴出口
６  バルブ機構
6a  ガス噴出操作レバー
6b  レバー部
７  圧電装置
7a  押込スイッチ
7b  ケーシング
7c  リード
８  保持ケース
8a  窓部
8b  軸孔
９  軸棒
10  下部外装ケース
10a  充填孔
11  装飾カバー体
12  着火カバー体
12a  天板
12b  着火穴
12c  空気取り入れ口
Ｆ  炎
【図１】
0003134236.tif 000003
【図２】
0003134236.tif 000004
【図３】
0003134236.tif 000005
【図４】
0003134236.tif 000006
【図５】
0003134236.tif 000007